(57)【要約】【課題】受信バンドの使用時間に基づいて使用頻度の少ない受信バンドをスキップさせて受信バンドの選択が可能な、効率的で利便性に優れた放送受信装置を提供する。【解決手段】受信部２と、各受信バンドの選択回数および使用時間を記憶し、選択回数が所定回数になると、使用時間に基づいて所定の受信バンドをスキップさせて切り換える受信バンド選択手段３と、バンド選択スイッチ５ａを有するスイッチ部４と、表示部６と、スピーカ７を備える。【選択図】  図１
2004304449.tif 000002
【特許請求の範囲】
【請求項１】
複数の受信バンドを単一のスイッチでサイクリックに切り換え可能な放送受信装置において、
前記各受信バンドの使用時間を記憶し、前記使用時間に基づいて所定の受信バンドをスキップさせて切り換える受信バンド選択手段を備えたことを特徴とする放送受信装置。
【請求項２】
前記使用時間は、前記各受信バンドの選択回数が前記所定回数に達するまでに各受信バンドが使用された累積時間であることを特徴とする請求項１記載の放送受信装置。
【請求項３】
前記使用時間は、前記各受信バンドの選択回数が前記所定回数に達するまでに各受信バンドが使用された平均時間であることを特徴とする請求項１記載の放送受信装置。
【請求項４】
前記受信バンド選択手段は、各受信バンドの選択回数を計数する計数手段と、各受信バンドの使用時間を計時する計時手段と、前記計数手段が計数した選択回数、前記計時手段が計時した使用時間および判定基準時間を記憶する記憶手段と、累積時間または平均時間を演算する演算手段と、累積時間または平均時間と判定基準時間を比較し、スキップさせる受信バンドを判定する判定手段と、前記判定手段が判定した受信バンドをスキップする選択手段と、各構成要件の動作を制御するバンド選択制御手段と、を備えたことを特徴とする請求項１記載の放送受信装置。
【請求項５】
複数の受信バンドを単一のスイッチでサイクリックに切り換え可能な放送受信装置の受信バンドスキップ方法であって、
各受信バンドの選択回数を記憶するステップＳ１と、
各受信バンドの使用時間を記憶するステップＳ２と、
選択回数が所定回数に達した時、使用時間と判定基準時間を比較するステップＳ３と、
使用時間が判定基準時間を下回るか否かを判断するステップＳ４と、
判定基準時間を下回る場合には、スキップさせる受信バンドを特定するステップＳ５と、
特定した受信バンドをスキップして受信バンドを切り換えるステップＳ６と、を備えたことを特徴とする放送受信装置の受信バンドスキップ方法。
【請求項６】
前記ステップＳ３において、
使用時間が、累積時間であることを特徴とする請求項５記載の放送受信装置の受信バンドスキップ方法。
【請求項７】
前記ステップＳ３において、
使用時間が、平均時間であることを特徴とする請求項５記載の放送受信装置の受信バンドスキップ方法。
【発明の詳細な説明】
【０００１】
【発明の属する技術分野】
本発明は、複数の受信バンド、例えばラジオ放送受信における複数のＦＭ受信バンドおよび複数のＡＭ受信バンドを単一のスイッチでサイクリックに切り換え可能な放送受信装置に係り、特に使用頻度の少ない受信バンドをスキップさせて受信バンドが切り換え可能な放送受信装置に関する。
【０００２】
【従来の技術】
ラジオ受信装置は、一般的にＦＭ受信バンドおよびＡＭ受信バンドが存在し、それぞれ複数の受信バンドが存在する。例えば、国内向けは、ＦＭ１，ＦＭ２，ＡＭ１およびＡＭ２の４つの受信バンドが存在する。また、外国向けは、例えばＦＭ１，ＦＭ２，ＦＭ３およびＡＭ１の４つの受信バンドが存在する。
【０００３】
従来のラジオ受信装置は、上記複数の受信バンドを１つの操作キーで切り換えるものが知られており、例えば国内向けのケースでは、操作キーを操作する度に、ＦＭ１→ＦＭ２→ＡＭ１→ＡＭ２→ＦＡ１→ＦＭ２→…の様に順番に受信バンドが切り換わり、エンドレス（サイクリック）に受信バンドを選択する。そして、受信バンドＡＭ２を選択したい場合、操作キーを３回操作する。
【０００４】
また、従来のラジオ受信装置には、「特許文献１」（ラジオ受信機）に開示されているように、１つの操作キー（バンド切替えスイッチ）で受信バンドＦＭと受信バンドＡＭの切り換えと、受信バンドＦＭ相互間（ＦＭ１〜ＦＭ３）と受信バンドＡＭ相互間（ＡＭ１〜ＡＭ３）の切り換えを効率的に実行するため、操作キーを比較的長い時間押し続けると、受信バンドＦＭと受信バンドＡＭが交互に切り換わるように構成されているものがある。
【０００５】
一方、上記ラジオ受信装置において、操作キーを比較的短い時間押すと、受信バンドＦＭ相互間（ＦＭ１〜ＦＭ３）または受信バンドＡＭ相互間（ＡＭ１〜ＡＭ３）が切り換わるように構成されている。
【０００６】
【特許文献１】
特開平５−２２７０４５号公報
【０００７】
【発明が解決しようとする課題】
従来のラジオ受信装置は、複数の受信バンドを１つの操作キーで切り換える構成のため、所望の受信バンドを選択するためには、操作キーの操作過程で必要としない受信バンドを選択しながら通過しなければならず、受信バンドの選択が効率的に実行できない課題がある。
【０００８】
また、「特許文献１」（ラジオ受信機）に開示された従来のラジオ受信装置は、受信バンドＦＭと受信バンドＡＭとの切り換え、受信バンドＦＭ相互間（ＦＭ１〜ＦＭ３）または受信バンドＡＭ相互間（ＡＭ１〜ＡＭ３）の切り換えが可能となるため、操作キーの操作回数が少なくなり効率的に受信バンドの選択が可能となるが、操作キーの押下時間が異なるため、キー操作が煩わしいケースや誤操作を招く虞がある。
【０００９】
この発明はこのような課題を解決するためになされたもので、その目的は受信バンドの使用時間に基づいて使用頻度の少ない受信バンドをスキップさせて受信バンドの選択が可能な、効率的で利便性に優れた放送受信装置を提供することにある。
【００１０】
【課題を解決するための手段】
前記課題を解決するためこの発明に係る放送受信装置は、複数の受信バンドを単一のスイッチでサイクリックに切り換え可能な放送受信装置において、各受信バンドの使用時間を記憶し、使用時間に基づいて所定の受信バンドをスキップさせて切り換える受信バンド選択手段を備えたことを特徴とする。
【００１１】
この発明に係る放送受信装置は、各受信バンドの使用時間を記憶し、使用時間に基づいて所定の受信バンドをスキップさせて切り換える受信バンド選択手段を備えたので、受信バンドの使用頻度により、切り換える受信バンドをスキップさせて選択対象の受信バンドを減少させることができ、受信バンド選択の効率性および利便性の向上を図ることができる。
【００１２】
また、この発明に係る使用時間は、各受信バンドの選択回数が所定回数に達するまでに各受信バンドが使用された累積時間であることを特徴とする。
【００１３】
さらに、この発明に係る使用時間は、各受信バンドの選択回数が所定回数に達するまでに各受信バンドが使用された平均時間であることを特徴とする。
【００１４】
この発明に係る使用時間は、各受信バンドの選択回数が所定回数に達するまでに各受信バンドが使用された累積時間または平均時間であるので、使用頻度が少ない受信バンドをスキップさせて選択する受信バンドを少なくすることができ、受信バンドの選択効率をアップすることができる。
【００１５】
また、この発明に係る受信バンド選択手段は、各受信バンドの選択回数を計数する計数手段と、各受信バンドの使用時間を計時する計時手段と、計数手段が計数した選択回数、計時手段が計時した使用時間および判定基準時間を記憶する記憶手段と、累積時間または平均時間を演算する演算手段と、累積時間または平均時間と判定基準時間を比較し、スキップさせる受信バンドを判定する判定手段と、判定手段が判定した受信バンドをスキップする選択手段と、各構成要件の動作を制御するバンド選択制御手段とを備えたことを特徴とする。
【００１６】
この発明に係る受信バンド選択手段は、各受信バンドの選択回数を計数する計数手段と、各受信バンドの使用時間を計時する計時手段と、計数手段が計数した選択回数、計時手段が計時した使用時間および判定基準時間を記憶する記憶手段と、累積時間または平均時間を演算する演算手段と、累積時間または平均時間と判定基準時間を比較し、スキップさせる受信バンドを判定する判定手段と、判定手段が判定した受信バンドをスキップする選択手段と、各構成要件の動作を制御するバンド選択制御手段とを備えたので、使用頻度の少ない受信バンドをスキップさせて実際の選択可能な受信バンドを絞ることができ、受信バンド選択の効率性ならびに利便性の向上を実現することができる。
【００１７】
さらに、この発明に係る放送受信装置の受信バンドスキップ方法は、複数の受信バンドを単一のスイッチでサイクリックに切り換え可能な方法であって、各受信バンドの選択回数を記憶するステップＳ１と、各受信バンドの使用時間を記憶するステップＳ２と、選択回数が所定回数に達した時、使用時間と判定基準時間を比較するステップＳ３と、使用時間が判定基準時間を下回るか否かを判断するステップＳ４と、判定基準時間を下回る場合には、スキップさせる受信バンドを特定するステップＳ５と、特定した受信バンドをスキップして受信バンドを切り換えるステップＳ６とを備えたことを特徴とする。
【００１８】
この発明に係る放送受信装置の受信バンドスキップ方法は、複数の受信バンドを単一のスイッチでサイクリックに切り換え可能な方法であって、各受信バンドの選択回数を記憶するステップＳ１と、各受信バンドの使用時間を記憶するステップＳ２と、選択回数が所定回数に達した時、使用時間と判定基準時間を比較するステップＳ３と、使用時間が判定基準時間を下回るか否かを判断するステップＳ４と、判定基準時間を下回る場合には、スキップさせる受信バンドを特定するステップＳ５と、特定した受信バンドをスキップして受信バンドを切り換えるステップＳ６とを備えたので、使用頻度の少ない受信バンドをスキップさせることができ、受信バンド選択の効率性および利便性の向上を図ることができる。
【００１９】
また、この発明に係る放送受信装置の受信バンドスキップ方法は、ステップＳ３において、使用時間が、累積時間であることを特徴とする。
【００２０】
さらに、この発明に係る放送受信装置の受信バンドスキップ方法は、ステップＳ３において、使用時間が、平均時間であることを特徴とする。
【００２１】
この発明に係る放送受信装置の受信バンドスキップ方法は、ステップＳ３において、使用時間が、累積時間または平均時間であるので、累積時間または平均時間から使用頻度を判断してスキップする受信バンドを特定することができる。
【００２２】
【発明の実施の形態】
以下、この発明の実施の形態を添付図面に基づいて説明する。図１はこの発明に係る放送受信装置の実施の形態ブロック構成図である。図１において、放送受信装置１は、受信部２と、受信バンド選択手段３と、スイッチ部４と、表示部６と、スピーカ７から構成する。
【００２３】
受信部２は、受信アンテナ、チューニング回路、検波回路、復調回路、増幅器等で構成し、ラジオ放送局から送信されてくるＦＭ受信バンドおよびＡＭ受信バンドのラジオ放送波を受信して復調し、チューニング回路で設定された受信バンドの音声信号ＳＡに変換し、音声信号ＳＡをスピーカ７から発生させる。
【００２４】
また、受信部２は、受信バンド選択手段３から提供されるバンド信号ＳＢに対応したＦＭ受信バンドまたはＡＭ受信バンドを選択し、選択した受信バンドの音声信号ＳＡをスピーカ７から発生させる。
【００２５】
受信バンド選択手段３は、マイクロプロセッサを基本に各種演算機能、処理機能、タイマ機能、カウンタ機能、メモリ等を備え、スイッチ部４のバンド選択スイッチ５ａから入力されるバンド選択情報ＪＫに基づいてＦＭ受信バンド（ＦＭ１、ＦＭ２）またはＡＭ受信バンド（ＡＭ１、ＡＭ２）をＦＭ１→ＦＭ２→ＡＭ１→ＡＭ２の順番に切り換えて選択し、選択した受信バンドに対応したバンド信号ＳＢを受信部２に提供する。
【００２６】
なお、バンド選択スイッチ５ａで選択可能な受信バンドは、国内市販向けのＦＭ１およびＦＭ２のＦＭ受信バンドと、ＡＭ１およびＡＭ２のＡＭ受信バンドを想定する。
【００２７】
また、受信バンド選択手段３は、バンド選択スイッチ５ａからのバンド選択情報ＪＫに対応して受信バンドの操作回数（選択回数）を計数するとともに、選択された受信バンドの使用時間を計時し、各受信バンド（ＦＭ１、ＦＭ２、ＡＭ１、ＡＭ２）の選択回数および使用時間を記憶する。
【００２８】
さらに、受信バンド選択手段３は、選択回数が予め設定した所定回数（例えば、２０回）になるまでに記憶した各受信バンド（ＦＭ１、ＦＭ２、ＡＭ１、ＡＭ２）の使用時間を判定基準時間と比較し、判定基準時間を下回る使用時間の受信バンド（例えば、使用頻度の少ない受信バンド）をスキップさせて切り換え、スキップさせた受信バンドを除くバンド信号ＳＢを受信部２に提供し、バンド選択スイッチ５ａの少ない操作回数で利用者のよく聞く受信バンドを選択できるようにする。
【００２９】
また、受信バンド選択手段３は、リセットスイッチ５ｂからリセット情報ＪＲが提供されると、記憶している各受信バンド（ＦＭ１、ＦＭ２、ＡＭ１、ＡＭ２）の選択回数（例えば、２０回）および使用時間をクリアして受信バンドのスキップを停止し、受信バンドの切り換えを初期状態（ＦＭ１→ＦＭ２→ＡＭ１→ＡＭ２）の順番に戻す。
【００３０】
図２はこの発明に係る受信バンド選択手段の一実施の形態受信バンドスキップのイメージ図である。（ａ）図に初期状態（スキップなし）、（ｂ）図に受信バンドＦＭ２のスキップ、（ｃ）図に受信バンドＦＭ２とＡＭ２のスキップを表わす。
【００３１】
（ａ）図において、放送受信装置１の電源スイッチをオンにした初期状態では、受信バンドＦＭ１が設定されており、バンド選択スイッチ５ａを１回操作すると受信バンドＦＭ２に切り換わり（▲１▼）、順次バンド選択スイッチ５ａを操作する毎に受信バンドＡＭ１（▲２▼）、受信バンドＡＭ２（▲３▼）、受信バンドＦＭ１（▲４▼）に切り換わり、以後サイクリックに切り換わる。
【００３２】
次に、（ｂ）図において、バンド選択スイッチ５ａの操作回数（選択回数）が所定回数（例えば、２０回）になって、受信バンドＦＭ２の使用時間が判定基準時間を下回っている場合には、以後の受信バンド切り換えが受信バンドＦＭ２をスキップし、受信バンドＦＭ１から受信バンドＡＭ１に切り換わり（▲１▼）、順次バンド選択スイッチ５ａを操作する毎に受信バンドＡＭ２（▲２▼）、受信バンドＦＭ１（▲３▼）に切り換わり、以後サイクリックに切り換わる。つまり、使用頻度の少ない受信バンドＦＭ２をスキップしてバンド選択スイッチ５ａの操作回数が４回から３回で一巡することになる。
【００３３】
また、（ｃ）図において、バンド選択スイッチ５ａの操作回数（選択回数）が所定回数（例えば、２０回）になって、受信バンドＦＭ２および受信バンドＡＭ２の使用時間が判定基準時間を下回っている場合には、以後の受信バンド切り換えが受信バンドＦＭ２および受信バンドＡＭ２をスキップし、受信バンドＦＭ１から受信バンドＡＭ１に切り換わり（▲１▼）、次のバンド選択スイッチ５ａの操作で受信バンドＡＭ１から受信バンドＦＭ１に切り換わる（▲２▼）。以後▲１▼と▲２▼がサイクリックに切り換わる。つまり、使用頻度の少ない受信バンドＦＭ２および受信バンドＡＭ１をスキップしてバンド選択スイッチ５ａの操作回数が４回から２回で一巡することになる。
【００３４】
図１に戻り、スイッチ部４は、音量スイッチ、時計設定スイッチ、バンド選択スイッチ５ａ、リセットスイッチ５ｂ等をタッチスイッチ等で構成する。バンド選択スイッチ５ａは、単一のスイッチで構成し、受信バンドＦＭ１、ＦＭ２、ＡＭ１、ＡＭ２の切り換え（選択）のため、１回操作する毎に、受信バンドＦＭ１、ＦＭ２、ＡＭ１、ＡＭ２に対応したバンド選択情報ＪＫを受信バンド選択手段３に供給する。
【００３５】
リセットスイッチ５ｂは、単一のスイッチで構成し、受信バンドのスキップを取り消す（停止）ために、リセット情報ＪＲを受信バンド選択手段３に供給する。
【００３６】
表示部６は、ＬＣＤ（液晶表示器）等で構成し、受信バンド選択手段３からの表示情報ＪＤに対応して時計表示、受信バンド表示等を行う。
【００３７】
スピーカ７は、セラミック型、圧電型、動電型等の電気−音響変換器で構成し、受信部２から供給される音声信号ＳＡを音声に変換して選択された受信バンドの音声を出力する。
【００３８】
このように、この発明に係る放送受信装置１は、各受信バンド（ＦＭ１〜ＡＭ２）の使用時間を記憶し、使用時間に基づいて所定の受信バンドをスキップさせて切り換える受信バンド選択手段３を備えたので、受信バンドの使用頻度により、切り換える受信バンドをスキップさせて選択対象の受信バンドを減少させることができ、受信バンド選択の効率性および利便性の向上を図ることができる。
【００３９】
図３はこの発明に係る受信バンド選択手段の一実施の形態要部ブロック構成図である。図３において、受信バンド選択手段３は、バンド選択制御手段８、記憶手段９、計数手段１０、計時手段１１、演算手段１２、判定手段１３、選択手段１４、各構成要件を接続する制御バスＢＵＳを備える。
【００４０】
バンド選択制御手段８は、制御バスＢＵＳを介して記憶手段９、計数手段１０、計時手段１１、演算手段１２、判定手段１３、選択手段１４に制御指令ＣＯを提供し、動作を制御する。
【００４１】
バンド選択制御手段８は、バンド選択スイッチ５ａが操作されて入力されるバンド選択情報ＪＫに基づいて受信バンドＦＭ１、ＦＭ２、ＡＭ１およびＡＭ２の操作回数（選択回数）を計数手段１０にカウントさせる制御を実行するとともに、各受信バンドに留まった時間（使用時間）を計時手段１１に計時させる制御を実行する。
【００４２】
また、バンド選択制御手段８は、計数手段１０がカウントした計数情報ＪＮ（選択回数）および計時手段１１が計時した計時情報ＪＴ（使用時間）を受信バンド毎に記憶手段９に記憶させる制御を行う。
【００４３】
さらに、バンド選択制御手段８は、記憶手段９に記憶された操作回数（選択回数）が予め設定された所定回数（例えば、２０回）になると、記憶手段９に記憶された計時情報ＪＴを読出し、計時情報ＪＴ（使用時間）の積算時間または平均時間を演算手段１２に演算させ、積算時間または平均時間の演算データＤＣを記憶手段９に記憶させる制御を実行する。
【００４４】
また、バンド選択制御手段８は、記憶手段９から積算時間または平均時間と、予め設定した判定基準時間を読出し、積算時間または平均時間と判定基準時間を比較して積算時間または平均時間が判定基準時間を超えるか否かを判定し、判定基準時間を下回る積算時間または平均時間の受信バンドを特定して切り換えをスキップさせる判定情報ＪＨを出力する判定手段１３を制御する。
【００４５】
さらに、バンド選択制御手段８は、判定手段１３からの判定情報ＪＨに対応してスキップさせる特定受信バンドを選択する選択情報ＪＳを選択手段１４に供給させる制御を実行する。
【００４６】
また、バンド選択制御手段８は、選択情報ＪＳに基づいてスキップさせる特定受信バンドを決定させ、バンド信号ＳＢを発生する選択手段１４の制御を実行する。
【００４７】
さらに、バンド選択制御手段８は、リセットスイッチ５ｂから入力されるリセット情報ＪＲに基づいて記憶手段９に記憶された積算時間や平均時間をクリアし、受信バンドのスキップ処理を停止する制御を実行する。
【００４８】
記憶手段９は、ＲＯＭ等の固定メモリやＲＡＭ等の書替え可能なメモリで構成し、計数手段１０から供給される計数情報ＪＮおよび計時手段１１から供給される計時情報ＪＴに対応した各受信バンドの切り換え回数（選択回数）および各受信バンドの使用時間を記憶する。
【００４９】
また、記憶手段９は、予め設定された設定回数（所定回数）および判定基準時間を記憶する。さらに、記憶手段９は、演算手段１２で演算した各受信バンドの使用時間の積算時間や平均時間を記憶する。
【００５０】
計数手段１０は、カウンタ機能を備え、各受信バンドの切り換え操作回数（選択回数）をカウントし、計数情報ＪＮを記憶手段９に提供する。
【００５１】
計時手段１１は、タイマ機能を備え、各受信バンドの使用時間を計時し、計時情報ＪＴを記憶手段９に提供する。
【００５２】
演算手段１２は、記憶手段９に記憶された操作回数（選択回数）毎の使用時間を積算して積算時間を演算する。また、演算手段１２は、積算時間を規定回数（例えば、２０回）で除算して平均時間を演算し、演算結果を演算データＤＣとして記憶手段９に提供する。
【００５３】
判定手段１３は、比較機能、判定機能を備え、記憶手段９から読み出した各受信バンドの積算時間と判定基準時間（基準積算時間）または平均時間と判定基準時間（基準平均時間）とを比較して積算時間と基準積算時間の大小または平均時間と基準平均時間の大小を判定し、積算時間が基準積算時間を下回る場合または平均時間が基準平均時間を下回る場合には、該当する積算時間または平均時間の受信バンドの使用頻度が少ないと判断して切り換えをスキップする受信バンドを特定し、判定情報ＪＨを出力する。
【００５４】
選択手段１４は、選択機能を備え、判定手段１３からの判定情報ＪＨに基づいてバンド選択制御手段８から選択情報ＪＳが指令されると、切り換えをスキップさせる受信バンドを特定し、スキップさせる受信バンドを除外したバンド信号ＳＢを受信部２に提供して切り換える（選択する）受信バンドを選択させる。
【００５５】
図４はこの発明に係る受信バンド選択手段の一実施の形態受信バンド選択回数に対する使用時間の関係図である。図４において、受信バンドＦＭ１、ＦＭ２、ＡＭ１およびＡＭ２の選択回数２０回と各回数の使用時間を表わす。
【００５６】
選択回数の所定回数を２０回、判定の基準累積時間を６００ｓ、基準平均時間を２５ｓとすると、受信バンドＦＭ１と受信バンドＡＭ１は、基準累積時間：６００ｓ、基準平均時間：２５ｓを上回って切り換えのスキップ対象にはならない。
【００５７】
一方、受信バンドＦＭ２および受信バンドＡＭ２は、基準累積時間：６００ｓ、基準平均時間：２５ｓを大きく下回って切り換えのスキップ対象になる。
【００５８】
このように、この発明に係る使用時間は、各受信バンドの選択回数が所定回数に達するまでに各受信バンドが使用された累積時間または平均時間であるので、使用頻度が少ない受信バンドをスキップさせて選択する受信バンドを少なくすることができ、受信バンドの選択効率をアップすることができる。
【００５９】
なお、使用時間は、選択回数２０回の標準偏差であってもよい。また、選択回数も任意数に設定してもよい。
【００６０】
さらに、本発明は、対象とする受信バンドが受信バンドＦＭおよび受信バンドＡＭが各３バンド以上であっても適用することができる。
【００６１】
このように、この発明に係る受信バンド選択手段３は、各受信バンドの選択回数を計数する計数手段１０と、各受信バンドの使用時間を計時する計時手段１１と、計数手段１０が計数した選択回数、計時手段１１が計時した使用時間および判定基準時間を記憶する記憶手段９と、累積時間または平均時間を演算する演算手段１２と、累積時間または平均時間と判定基準時間を比較し、スキップさせる受信バンドを判定する判定手段１３と、判定手段１３が判定した受信バンドをスキップする選択手段１４と、各構成要件の動作を制御するバンド選択制御手段８とを備えたので、使用頻度の少ない受信バンドをスキップさせて実際の選択可能な受信バンドを絞ることができ、受信バンド選択の効率性ならびに利便性の向上を実現することができる。
【００６２】
次に、放送受信装置の受信バンドスキップ方法について説明する。図５はこの発明に係る放送受信装置の受信バンドスキップ方法の一実施の形態要部動作フロー図である。なお、動作フローは図３を参照して説明する。
【００６３】
ステップＳ１では、各受信バンドの選択回数を記憶する。なお、ステップＳ１の動作はバンド選択制御手段８、記憶手段９および計数手段１０が実行する。
【００６４】
ステップＳ２では、各受信バンドの使用時間を記憶する。なお、ステップＳ２の動作は、バンド選択制御手段８、記憶手段９および計時手段１１が実行する。
【００６５】
ステップＳ３では、選択回数が所定回数に達した時、使用時間と判定基準時間を比較する。なお、ステップＳ３の動作は、バンド選択制御手段８、記憶手段９、演算手段１２および判定手段１３が実行する。
【００６６】
ステップＳ４では、使用時間が判定基準時間を下回るか否かを判断し、下回る場合にはステップＳ５に移行する。一方、上回る場合にはステップＳ７に移行する。
【００６７】
ステップＳ５では、スキップさせる受信バンドを特定する。なお、ステップＳ４およびステップＳ５の動作は、判定手段１３が実行する。
【００６８】
ステップＳ６では、特定した受信バンドをスキップして受信バンドを切り換える。なお、ステップＳ６の動作は、選択手段１４が実行する。
【００６９】
ステップＳ７では、スキップする受信バンドがなく、全ての受信バンドを切り換える。なお、ステップＳ７の動作は、選択手段１４が実行する。
【００７０】
このように、この発明に係る放送受信装置の受信バンドスキップ方法は、複数の受信バンドを単一のスイッチでサイクリックに切り換え可能な方法であって、各受信バンドの選択回数を記憶するステップＳ１と、各受信バンドの使用時間を記憶するステップＳ２と、選択回数が所定回数に達した時、使用時間と判定基準時間を比較するステップＳ３と、使用時間が判定基準時間を下回るか否かを判断するステップＳ４と、判定基準時間を下回る場合には、スキップさせる受信バンドを特定するステップＳ５と、特定した受信バンドをスキップして受信バンドを切り換えるステップＳ６とを備えたので、使用頻度の少ない受信バンドをスキップさせることができ、受信バンド選択の効率性および利便性の向上を図ることができる。
【００７１】
また、ステップＳ３において、使用時間が、累積時間である。
【００７２】
さらに、ステップＳ３において、使用時間が、平均時間である。
【００７３】
このように、この発明に係る放送装置の受信バンドスキップ方法は、ステップＳ３において、使用時間が、累積時間または平均時間であるので、累積時間または平均時間から使用頻度を判断してスキップする受信バンドを特定することができる。
【００７４】
【発明の効果】
以上説明したように、この発明に係る放送受信装置は、各受信バンドの使用時間を記憶し、使用時間に基づいて所定の受信バンドをスキップさせて切り換える受信バンド選択手段を備えたので、受信バンドの使用頻度により、切り換える受信バンドをスキップさせて選択対象の受信バンドを減少させることができ、受信バンド選択の効率性および利便性の向上を図ることができる。
【００７５】
また、この発明に係る使用時間は、各受信バンドの選択回数が所定回数に達するまでに各受信バンドが使用された累積時間または平均時間であるので、使用頻度が少ない受信バンドをスキップさせて選択する受信バンドを少なくすることができ、受信バンドの選択効率をアップすることができる。
【００７６】
さらに、この発明に係る受信バンド選択手段は、各受信バンドの選択回数を計数する計数手段と、各受信バンドの使用時間を計時する計時手段と、計数手段が計数した選択回数、計時手段が計時した使用時間および判定基準時間を記憶する記憶手段と、累積時間または平均時間を演算する演算手段と、累積時間または平均時間と判定基準時間を比較し、スキップさせる受信バンドを判定する判定手段と、判定手段が判定した受信バンドをスキップする選択手段と、各構成要件の動作を制御するバンド選択制御手段とを備えたので、使用頻度の少ない受信バンドをスキップさせて実際の選択可能な受信バンドを絞ることができ、受信バンド選択の効率性ならびに利便性の向上を実現することができる。
【００７７】
また、この発明に係る放送受信装置の受信バンドスキップ方法は、複数の受信バンドを単一のスイッチでサイクリックに切り換え可能な方法であって、各受信バンドの選択回数を記憶するステップＳ１と、各受信バンドの使用時間を記憶するステップＳ２と、選択回数が所定回数に達した時、使用時間と判定基準時間を比較するステップＳ３と、使用時間が判定基準時間を下回るか否かを判断するステップＳ４と、判定基準時間を下回る場合には、スキップさせる受信バンドを特定するステップＳ５と、特定した受信バンドをスキップして受信バンドを切り換えるステップＳ６とを備えたので、使用頻度の少ない受信バンドをスキップさせることができ、受信バンド選択の効率性および利便性の向上を図ることができる。
【００７８】
さらに、この発明に係る放送受信装置の受信バンドスキップ方法は、ステップＳ３において、使用時間が、累積時間または平均時間であるので、累積時間または平均時間から使用頻度を判断してスキップする受信バンドを特定することができる。
【図面の簡単な説明】
【図１】この発明に係る放送受信装置の実施の形態ブロック構成図
【図２】この発明に係る受信バンド選択手段の一実施の形態受信バンドスキップのイメージ図
【図３】この発明に係る受信バンド選択手段の一実施の形態要部ブロック構成図
【図４】この発明に係る受信バンド選択手段の一実施の形態受信バンド選択回数に対する使用時間の関係図
【図５】この発明に係る放送受信装置の受信バンドスキップ方法の一実施の形態要部動作フロー図
【符号の説明】
１  放送受信装置
２  受信部
３  受信バンド選択手段
４  スイッチ部
５ａ  バンド選択スイッチ
５ｂ  リセットスイッチ
６  表示部
７  スピーカ
８  バンド選択制御手段
９  記憶手段
１０  計数手段
１１  計時手段
１２  演算手段
１３  判定手段
１４  選択手段
ＪＤ    表示情報
ＪＫ    バンド選択情報
ＪＲ    リセット情報
ＪＮ    計数情報
ＪＴ    計時情報
ＪＭ    メモリ情報
ＪＳ    選択情報
ＪＨ    判定情報
ＤＣ    演算データ
ＳＡ    音声信号
ＳＢ    バンド信号
ＣＯ    制御指令
【図１】
2004304449.tif 000003
【図２】
2004304449.tif 000004
【図３】
2004304449.tif 000005
【図４】
2004304449.tif 000006
【図５】
2004304449.tif 000007